(57)【要約】      （修正有）【課題】インスタントコーヒーと同様な簡単な手順でレギュラーコーヒーを淹れることができるコーヒーカプセルを提供する。【解決手段】コーヒーカプセル１０にレギュラーコーヒー粉を簡単に入れることができる粉サーバーと、コーヒーカプセルと粉サーバーをセットで使用することによってインスタントコーヒーを淹れるときと同様に簡便で経済的なレギュラーコーヒーの淹れ方にする。【選択図】図４
2019004916.tif 000002
【特許請求の範囲】
【請求項１】
コーヒーカプセルは上蓋、カプセル筒、濾過紙、底蓋で構成され、カプセル筒と底蓋によって濾過紙を挟み込むようになっている。上蓋を外した状態でレギュラーコーヒー粉を入れた後に上蓋をすることを特徴とする。
コーヒーカプセルはコーヒーカップの中に入れて、熱湯を注ぎレギュラーコーヒーを淹れることができる。またはコーヒーカップの中に熱湯を先に入れた後にコーヒーカプセルを入れてもレギュラーコーヒーを淹れることができることを特徴とする。
【請求項２】
請求項１のコーヒーカプセルにレギュラーコーヒー粉を定量入れるための器具であり、レギュラーコーヒー粉を保存する容器を着脱可能にセットすることができる。
コーヒーカプセルを粉サーバーの定位置にセットして、レバー操作することによって容器キャップ、レバーおよび粉サーバーの其々の注出孔が一致してレギュラーコーヒー粉がコーヒーカプセルの中に入るように構成したことを特徴とする器具である。
【発明の詳細な説明】
【技術分野】
【０００１】  本考案は従来の濾過紙ドリップ式のコーヒーの淹れ方を改善する考案である。
本考案のコーヒーカプセルを使用すると、一人分のコーヒーを簡単に淹れることができる。インスタントコーヒーの便利さと同様なレギュラーコーヒーの淹れ方を提供する考案である。【０００２】  また、本考案のコーヒーカプセルに定量のレギュラーコーヒー粉を入れる器具も考案し、さらに便利さを提供する。
【背景技術】
【０００３】  従来の濾過紙ドリップ式のレギュラーコーヒーの淹れ方は３〜５人分のレギュラーコーヒーをグラス容器にドリップする方法であった。したがって、数人分のレギュラーコーヒーを一度に淹れるためには便利であったが、一人で飲みたいときに一人分を淹れるためには不便であり不経済であった。また、グラス容器からコーヒーカップに移す手間もあった。【０００４】  本考案のコーヒーカプセルを複数個準備すれば、家庭や会社オフィスなどで飲みたいときに飲みたい人が簡単に美味しいレギュラーコーヒーを淹れることができるものである。
【発明の開示】
【発明が解決しようとする課題】
【０００５】  （１）インスタントコーヒーはカップにインスタントコーヒー粉を入れて、熱湯を注ぐ        だけでコーヒーが飲める便利さがあるが、本考案も同様にレギュラーコーヒー粉        が入ったコーヒーカプセルをカップに入れて熱湯を注ぐだけでレギュラーコーヒ        ーを淹れることができる便利さを提供できること。【０００６】  （２）従来の濾過紙ドリップ式はレギュラーコーヒー粉が入っている保存容器や袋から        必要量のレギュラーコーヒー粉をドリッパーにセットされた漏斗状濾過紙にスプ        ーン等で移さなければならなかった。このように保存容器から濾過紙にレギュラ        ーコーヒー粉を移すなどの煩雑さを無くすこと。【０００７】  （３）上記２つの課題を解決して、レギュラーコーヒーをインスタントコーヒーと同様        の簡単さで淹れることができる安価な商品を提供すること。
【課題を解決するための手段】
【０００８】  （１）コーヒーカップに直接入れることができるコーヒーカプセルを考案して、熱湯を        注ぐだけでレギュラーコーヒーを淹れることができるようにする。【０００９】  （２）レギュラーコーヒー粉を定量だけコーヒーカプセルに入れるための操作簡単な器        具を同時に提供することによって、レギュラーコーヒー粉を保存容器からコーヒ        ーカプセルにスプーン等を使用して移す不便さを解消する。
【発明の効果】
【００１０】  コーヒーカップに直接入れることができるコーヒーカプセルとレギュラーコーヒー粉を定量だけコーヒーカプセルに入れる器具を考案したことによって、インスタントコーヒーと同様の便利さで美味しいレギュラーコーヒーを淹れることが可能になった。
【発明を実施するための最良の形態】
【実施例】
【００１１】  以下、本考案の実施例を図１、２、３、４、および図６、７、８、９、１０に基づいて説明する。図１から図４まではコーヒーカプセル１０の考案実施例であり、図６から図１０まではコーヒーカプセルにレギュラーコーヒー粉を定量入れる器具の考案実施例である。【００１２】  図１はコーヒーカプセル１０の構成を示し、上蓋１、カプセル筒２、濾過紙３、底蓋４から成る。図２はカプセル筒２、濾過紙３、底蓋４を組み立てて、レギュラーコーヒー粉５を入れたところを示す図面である。【００１３】  底蓋４の底部は開口８となっており、濾過紙３をカプセル筒２と底蓋４で挟み込んで取り付けたとき、開口８はコーヒー抽出用の開口となる。
図３は上蓋１を取り付けてコーヒーカプセル１０ができた状態を示す。上蓋１には通気および熱湯流入孔として複数の小孔９が設けられている。【００１４】  図４はコーヒーカプセル１０をコーヒーカップ６に入れて熱湯７を注いだところを示す透視図である。上蓋１には指で持って揺り動かしながらコーヒー抽出を早めるためのツマミ１１が棒状の先端に設けられている。【００１５】  このように本考案コーヒーカプセル１０を使用すると一人分のレギュラーコーヒーを簡単に淹れることができる。さらにコーヒーカプセル１０に定量のレギュラーコーヒー粉５を簡単に入れることができる器具を以下に説明する。【００１６】  図６はレギュラーコーヒー粉５を定量入れることができる器具の正面図、また図７はその側面図である。上部にレギュラーコーヒー保存用の容器１２を着脱可能に組み立てている。
コーヒーカプセル１０は上蓋１が無い状態で粉サーバー１３にセットされる。粉サーバー１３のレバー１４を操作すると定量のレギュラーコーヒー粉５をコーヒーカプセル１０の中に入れることができる。【００１７】  図８は図７の一部分Ａ−Ａの断面図である。レバー１４を操作すると容器キャップ１５の注出孔Ａ１７、レバー１４の注出孔Ｂ１８、および粉サーバー１３の注出孔Ｃ１９が一直線上になり、レギュラーコーヒー粉５がコーヒーカプセル１０に注出される。【００１８】  図９はレバー１４の構成を示し、其々の注出孔Ａ１７、Ｂ１８、Ｃ１９が一直線上になる孔合致位置２０を示している。【００１９】  容器キャップ１５、レバー１４および粉サーバー１３のレバー１４の摺動面は密着して気密性がある。【００２０】  図１０はコーヒーカプセル１０を粉サーバー１３にセットするとき、また取り出すときに便利なようにスライド式の引出しプレート２１が設けられている。
このように本考案のコーヒーカプセル１０と本考案の粉サーバー１３をセットで使用するとレギュラーコーヒーを簡単に淹れることができる。
【図面の簡単な説明】
【００２１】
【図１】  本考案コーヒーカプセルの構成部品を示す図面である。
【図２】  コーヒーカプセルの上蓋がない状態でレギュラーコーヒー粉を入れたときの図面である。
【図３】  上蓋を付けたコーヒーカプセルの状態である。
【図４】  コーヒーカプセルを使用してレギュラーコーヒーを淹れるときの状態を示す。
【図５】  従来の濾過紙ドリップ式でレギュラーコーヒーを淹れるときの状態を示す。
【図６】  本考案のレギュラーコーヒーの粉サーバーを示す正面図である。
【図７】  レギュラーコーヒーの粉サーバーの側面図である。
【図８】  レギュラーコーヒーの粉サーバーの一部分を断面した図面である。（Ａ−Ａ断面）
【図９】  レギュラーコーヒーの粉サーバーの一部分を断面した図面である。（Ｂ−Ｂ断面）
【図１０】  レギュラーコーヒーの粉サーバーの一部分を断面した図面である。（Ｃ−Ｃ断面）
【符号の説明】
【００２２】１    上蓋                          ２    カプセル筒
３    濾過紙                        ４    底蓋
５    レギュラーコーヒー粉          ６    コーヒーカップ
７    熱湯                          ８    開口
９    小孔                          １０  コーヒーカプセル
１１  ツマミ                        １２  容器
１３  粉サーバー                    １４  レバー
１５  容器キャップ                  １６  支点
１７  注出孔Ａ                      １８  注出孔Ｂ
１９  注出孔Ｃ                      ２０  孔合致位置
２１  引出しプレート                ２２  グラス容器
２３  ドリッパー                    ２４  漏斗状濾過紙
【図１】
2019004916.tif 000003
【図２】
2019004916.tif 000004
【図３】
2019004916.tif 000005
【図４】
2019004916.tif 000006
【図５】
2019004916.tif 000007
【図６】
2019004916.tif 000008
【図７】
2019004916.tif 000009
【図８】
2019004916.tif 000010
【図９】
2019004916.tif 000011
【図１０】
2019004916.tif 000012